(57)【特許請求の範囲】
【請求項１】
ギターの弦を覆う柔軟性を有する帯状のカバー体と、該カバー体の長手端部に設けられると共に、ギターのナットの位置又はヘッドの頂部に着脱自在に連結する定位置連結体とを備え、
カバー体は、ギターのネック上に位置する弦の表面を覆うネックカバーと、ギターのボディ上端からブリッジまでに位置する弦の表面を覆うボディカバーとを備え、
該定位置連結体をギターのナットの位置又はヘッドの頂部に連結してギターのヘッドを立てると、ギターの弦に沿って該弦の表面をカバー体が覆うように構成し、
合成樹脂製のシート基材又はフィルム基材に、銅成分を含侵又は混入して形成した防錆シートをカバー体の弦に接触する側に設けたことを特徴とするギター用カバー。
【請求項２】
前記カバー体の前記ボディカバーに装飾部が施された請求項１記載のギター用カバー。
【請求項３】
前記カバー体の前記弦側に、帯板状の嵌合体を設け、該嵌合体に複数条の嵌合溝を形成し、該嵌合溝側の面に前記防錆シートを貼り付けて前記ギターの前記弦の表面を前記カバー体が覆ったときに嵌合体の嵌合溝内に前記弦が収納されるように構成した請求項１記載のギター用カバー。
【発明の詳細な説明】
【技術分野】
【０００１】
本発明は、例えばケースから出したギターをそのまま部屋に置くのに好適なギター用カバーに関するものである。
【背景技術】
【０００２】
ギターを保存するには、ケースやカバー等に収納し、湿度を遮断して弦の錆び付き等を防止している。このようなケースやカバーは、長期の保存や運搬などに多く使用されており、部屋などで日常的に使用する場合は、ケースから取り出した状態でそのまま部屋に置いている場合が多い。すなわち、日常でギターを頻繁に使用する場合は、ケースからの出し入れが面倒な上に、出し入れの際に、糸巻にケースやカバーが触れると調律した弦が狂ってしまう虞がある。
【０００３】
ところが、ギターを頻繁に使用する場合でも、スチール弦が常に外気にさらされている状態では、弦の錆付きが早くなる不都合があった。そこで、スチール弦の錆付き防止する弦楽器のカバーが特許文献１で提案されている。
【０００４】
このカバーによると、スポンジ等の弾性材で形成した弦の表面を覆う密封体と、この密封体を任意の位置で支持する剛性の支持体と、該支持体に移動可能に取付けられた固定用のバンドとで構成するもので、支持体に沿って移動するバンドで、弦を覆う密封体を弦楽器の竿及び胴に固定するものである。
【先行技術文献】
【特許文献】
【０００５】
【特許文献１】実開平６-１０９９８号公報
【発明の概要】
【発明が解決しようとする課題】
【０００６】
ところが、特許文献１に記載のカバーは、剛性を有する木製又はプラスチック製の支持体と、この支持体の片面に設けたスポンジ等の密封体を弦に圧着して使用するので、装着時にはギターよりもカバー自体が嵩張ってしまい、日常的に部屋置きするには違和感が生じる虞があった。
【０００７】
しかも、このカバーをギターの弦に装着するには、密着体を使用のたびに弦の適位置に合わせながら支持体に装着しているバンドの位置を調整してギターに取付ける作業になる。そのため、日常的に頻繁に使用するには装着作業に多くの手間を要する不都合があった。
【０００８】
また、このカバーは、木製やプラスチック製の支持体の片側にスポンジ等の密封体を設けた構造であるから、弦に装着したカバーは極めて嵩張るものになる。そのため、ギターをケース等に収納する際に、このカバーが妨げになり、カバーを装着した状態で収納できなくなる不都合もある。
【０００９】
更に、このカバーは、スポンジ等の柔軟で弾力性のある密封体をネックに押し当てて弦を被覆し、外気を遮断することで、弦の錆付きを遅延化しようとするものである。ところが、このようなスポンジ等の密封体にも多くの空気が含まれているので、この密封体で弦を被覆したとしても、弦の錆び付き防止効果を長時間持続させることは困難である。
【００１０】
そこで本発明は、上述の課題を解消すべく案出されたもので、ギターへの取付け作業が極めて容易で、しかも、弦の錆び付き防止効果を長時間持続させることができ、日常的に部屋置きする場合やケース等に収納する場合でも弦の錆付きを防止することができる弦楽器用カバーの提供を目的とするものである。
【課題を解決するための手段】
【００１１】
上述の目的を達成すべく本発明における第１の手段は、ギター１０の弦１１を覆う柔軟性を有する帯状のカバー体１と、該カバー体１の長手端部に設けられると共に、ギター１０のナット１２の位置又はヘッド１３の頂部に着脱自在に連結する定位置連結体２とを備え、
カバー体１は、ギター１０のネック１４上に位置する弦１１の表面を覆うネックカバー１Ａと、ギター１０のボディ１５上端からブリッジ１６までに位置する弦１１の表面を覆うボディカバー１Ｂとを備え、
該定位置連結体２をギター１０のナット１２の位置又はヘッド１３の頂部に連結してギター１０のヘッド１３を立てると、ギター１０の弦１１に沿って該弦１１の表面をカバー体１が覆うように構成し、
合成樹脂製のシート基材又はフィルム基材に、銅成分を含侵又は混入して形成した防錆シートＳをカバー体１の弦１１に接触する側に設けたことにある。
【００１３】
第２の手段において、前記カバー体の前記ボディカバー１Ｂに装飾部１Ｃが施されたものである。
【００１４】
第３の手段は、前記カバー体１の前記弦１１側に、帯板状の嵌合体４を設け、該嵌合体４に複数条の嵌合溝４Ａを形成し、該嵌合溝４Ａ側の面に前記防錆シートＳを貼り付けて前記ギター１０の前記弦１１の表面を前記カバー体１が覆ったときに嵌合体４の嵌合溝４Ａ内に前記弦１１が収納されるように構成したものである。
【発明の効果】
【００１５】
請求項１のごとく、定位置連結体２をギター１０のナット１２の位置又はヘッド１３の頂部に連結してギター１０のヘッド１３を立てるとギター１０の弦１１に沿って該弦１１の表面をカバー体１が覆うように構成したことにより、ギターへの取付け作業が極めて容易になった。この結果、従来のように、密着体を弦の位置に合わせたり、バンドの位置を調整しながらギターに取付けたりする作業は不要になり、定位置連結体２を定位置に連結するだけで簡単に着脱できるので、日常でギターを頻繁に使用する場合でも、極めて簡単に着脱することができる。
【００１６】
しかも、カバー体１の弦１１に接触する側に防錆シートＳを設けているので、弦の錆び付き防止効果を長時間持続させることができる。したがって、ギター１０を長期間使用しない場合でも、弦１１の発錆を防止することができる。
【００１７】
更に、防錆シートＳは、合成樹脂製のシート基材又はフィルム基材に、銅成分を含侵又は混入して形成されたものであるから、銅成分が有する防錆効果を防錆シートＳの接触部位及び防錆シートＳの近傍周辺まで及ぼすものになる。この結果、防錆シートＳにて接触している弦１１はもとより、防錆シートＳの周囲まで防錆効果を及ぼすことができる。
【００１８】
また、カバー体１は、ネックカバー１Ａとボディカバー１Ｂとを備えているので、ギター１０の弦１１を位置別に被覆するので、ネック１４上の弦１１からボディ１５上に至る弦１１までを確実に覆うことかできる。
【００１９】
請求項２のごとく、ギター１０のボディ１５上端からブリッジ１６までに位置する弦１１の表面を覆うボディカバー１Ｂに装飾部１Ｃを施しているので、装着時にはギターの装飾効果を有するので日常的に部屋置きする場合でも違和感なく使用することができる。
【００２０】
請求項３のごとく、カバー体１の弦１１側に、帯板状の嵌合体４を設け、該嵌合体４に複数条の嵌合溝４Ａを形成し、ギター１０の弦１１の表面をカバー体１が覆ったときに嵌合体４の嵌合溝４Ａ内に弦１１が収納されるように構成したことで、より密着性の高い被覆効果が得られる。したがって、弦１１の錆び付き防止の効果を高めることができる。
【００２１】
しかも、この嵌合体４の嵌合溝４Ａの内部に弦１１が収納する作業においても、定位置連結体２を定位置に連結するだけで、嵌合溝４Ａの位置が決定されるから、極めて簡単な作業で済む。
【００２２】
このように本発明によると、ギターへの取付け作業が極めて容易で、しかも、弦の錆付きを防止することができるなどといった当初の目的を達成することができる。
【図面の簡単な説明】
【００２３】
【図１】本発明の一実施例を示す分解斜視図である。
【図２】本発明のカバー体の一実施例を示す断面図である。
【図３】本発明の使用状態を示す斜視図である。
【図４】本発明の他の実施例を示す斜視図である。
【図５】本発明の他の実施例を示す使用状態の要部断面図である。
【図６】本発明の他の実施例を示す使用状態の斜視図である。
【図７】本発明の他の実施例を示し、（イ）は正面図、（ロ）は側面図である。
【図８】本発明の他の実施例を示す正面図である。
【発明を実施するための形態】
【００２４】
以下、本発明の実施例を説明する。本発明の基本構成はカバー体１と定位置連結体２とで構成されている（図１参照）。
【００２５】
カバー体１は、柔軟性を有する帯状の部材で、ギター１０の特にスチール製の弦１１を覆うように構成している。カバー体１の材質は、例えは織物や不織布等の他、合成樹脂製のシート材など、任意に選択することが可能である。図示のカバー体１は、撥水性の生地１ａの片面に不織布１ｂを設けた二重構造を成している（図２参照）。
【００２６】
更に、カバー体１の弦１１に接する側に、防錆シートＳを設けている（図２参照）。この防錆シートＳは、例えば、ポリマー樹脂等の合成樹脂製のシート基材又はフィルム基材に、銅成分を含侵又は混入するなどして、銅素材が有する防錆効果を防錆シートＳの全面に有するものであり、既に知られている防錆シートＳから自由に選択することができる。
【００２７】
図示の防錆シートＳは、生地１ａと不織布１ｂとで二重構造を成したカバー体１の不織布１ｂ側の面に縫い付けたものである（図２参照）。このように、不織布１ｂ側に防錆シートＳを設けることで、弦１１を覆ったときに、不織布１ｂが弦１１を柔らかに包み込むので、弦１１の側面まで防錆シートＳが接触可能になり、しかも、耐衝撃性も備えることになる。また、防錆シートＳの取付け手段は、この外、生地１ａに直接貼り付けるなど、カバー体１の材質に応じて任意の手段で設けることができる。
【００２８】
一方、定位置連結体２は、このカバー体１の長手端部に設けられている連結部材で、カバー体１をギター１０の所定の位置に連結するように構成している。図１に示す定位置連結体２は、紐状の定位置連結体２を示しているが、面ファスナーを利用した定位置連結体２を設けることも可能である（図８参照）。このように、定位置連結体２の構成は任意に変更できる。
【００２９】
ギター１０に連結する所定位置とは、ギター１０のナット１２の位置又はヘッド１３の頂部のいずれかより選択される。すなわち、ギター１０のナット１２は、ヘッド１３とネック１４との境界部分にある弦１１を支持する部材である。このナット１２の位置に定位置連結体２を連結する（図３参照）。
【００３０】
また、ヘッド１３の頂部とは、文字どおりギター１０のヘッド１３の頂点に位置する部位で、ヘッド１３の両側又は片側にペグ１７と称する弦１１を巻き付ける部材が設けられている（図６参照）。このようなヘッド１３の頂部に連結する定位置連結体２は、袋状を成しており、ヘッド１３の頂部に被せるだけで装着できるものである（図６、７参照）。
【００３１】
そして、定位置連結体２をギター１０のナット１２の位置又はヘッド１３の頂部に連結し、この状態でヘッド１３を立てると、定位置連結体２に連結されているカバー体１がギター１０の弦１１に沿って該弦１１の表面を覆うように構成している（図３、図６参照）。
【００３２】
カバー体１は、ネックカバー１Ａとボディカバー１Ｂとを備えている（図１参照）。ネックカバー１Ａは、ギター１０のネック１４上に位置する前記弦１１の表面を覆う部位である。図示のネックカバー１Ａには補助連結体３を設けている。この補助連結体３は、ネック１４の下端部分に連結する部材で、ネックカバー１Ａの位置ずれを防止する。尤も、定位置連結体２を連結してギター１０のヘッド１３を立てると、カバー体１が自然に弦１１を覆うことになる。
【００３３】
一方、ボディカバー１Ｂは、ギター１０のボディ１５上端からブリッジ１６までに位置する前記弦１１の表面を覆う部位を示している（図３参照）。このボディカバー１Ｂには装飾部１Ｃが施されている。図示の装飾部１Ｃは、ボディカバー１Ｂをネクタイに見立てた装飾を施しているが、この装飾部１Ｃは自由に変更することができる。
【００３４】
カバー体１は、生地やシートのまま使用する他、このカバー体１の弦１１側に、帯板状の嵌合体４を設けることも可能である（図４参照）。嵌合体４は、例えばスポンジ材や発泡樹脂材等の柔らかい材質で形成されるもので、複数条の嵌合溝４Ａを形成し、この嵌合溝４Ａ側の面に防錆シートＳを貼り付けている。この嵌合溝４Ａは、ギター１０の弦１１の表面をカバー体１が覆ったときに、弦１１が収納されるように構成したものである（図５参照）。このとき、補助連結体３にてネックカバー１Ａをネック１４に固定することで、弦１１と嵌合体４とを一体化することが可能になる。
【００３５】
尚、本発明において図示例に限定されるものではなく、本発明の要旨を変更しない範囲で設計変更は自由に行える。また本発明の使用例も限定されるものではない。
【符号の説明】
【００３６】
Ｓ  防錆シート
１  カバー体
１ａ  生地
１ｂ  不織布
１Ａ  ネックカバー
１Ｂ  ボディカバー
１Ｃ  装飾部
２  定位置連結体
３  補助連結体
４  嵌合体
４Ａ  嵌合溝
１０  ギター
１１  弦
１２  ナット
１３  ヘッド
１４  ネック
１５  ボディ
１６  ブリッジ
１７  ペグ
【要約】
【課題】ギターへの取付け作業が極めて容易で、弦の錆付きを長期間防止することができる弦楽器用カバーを提供する。
【解決手段】ギター１０の弦１１を覆う柔軟性を有する帯状のカバー体１を設ける。カバー体１の長手端部に定位置連結体２を設ける。定位置連結体２をギター１０のナット１２の位置又はヘッド１３の頂部に連結する。定位置連結体２を連結してヘッド１３を立てると弦１１の表面をカバー体１が覆うように構成する。カバー体１の弦１１に接触する側に防錆シートＳを設ける。
【選択図】  図１【図１】
0005937265.tif 000002
【図２】
0005937265.tif 000003
【図３】
0005937265.tif 000004
【図４】
0005937265.tif 000005
【図５】
0005937265.tif 000006
【図６】
0005937265.tif 000007
【図７】
0005937265.tif 000008
【図８】
0005937265.tif 000009